(57)【要約】【課題】突然電力の供給が停止した場合に、廃トナーを廃トナーボックスにまで搬送することのできる画像形成装置を提供する。【解決手段】像担持体から転写材にトナーを転写する際に転写材に転写されなかったトナーである廃トナーを収容するための廃トナーボックス１００と、廃トナーを廃トナーボックス１００に搬送するためのスクリューとを備える画像形成装置において、スクリューを駆動する駆動部１１０にフライホイール１２０ａを備える。【選択図】図４
2013152358.tif 000002
【特許請求の範囲】
【請求項１】
廃トナーを収容するための廃トナーボックスと、
前記廃トナーを前記廃トナーボックスに搬送するための搬送部材と、を備える画像形成装置において、
前記搬送部材を駆動する駆動部にフライホイールを備えた
画像形成装置。
【請求項２】
前記駆動部は、前記画像形成装置に備えられた感光体を駆動する感光体駆動部である
請求項１記載の画像形成装置。
【請求項３】
前記駆動部は、前記画像形成装置に備えられた中間転写体を駆動する中間転写体駆動部である
請求項１記載の画像形成装置。
【請求項４】
前記駆動部は、前記画像形成装置に備えられた定着部材を駆動する定着部材駆動部である
請求項１記載の画像形成装置。
【請求項５】
廃トナーを収容するための廃トナーボックスと、
前記廃トナーを前記廃トナーボックスに搬送するための搬送部材と、を備える画像形成装置において、
前記搬送部材を駆動する駆動部にフライホイールを備えるとともに、
前記廃トナーボックスが前記画像形成装置から取り外されたことに連動して前記フライホイールの回転を停止する停止部を備えた
画像形成装置。
【発明の詳細な説明】
【技術分野】
【０００１】
本発明は、廃トナーを収容するための廃トナーボックスと、廃トナーボックスに廃トナーを搬送するためのスクリューとを備えた、複写機，レーザービームプリンター，ファクシミリ等の画像形成装置に関する。
【背景技術】
【０００２】
感光体等の像担持体から、用紙等の転写材にトナーを転写することにより画像を形成する画像形成装置が普及している。一般にこうした画像形成装置では、転写材に転写されなかったトナー（転写材に転写した後に像担持体に残留しているトナーや、転写材にトナーを転写する転写ローラに付着したトナー）を、廃トナーとして廃トナーボックスに搬送して収容している。廃トナーボックスに廃トナーを搬送するための手段としては、像担持体と廃トナーボックスとを結ぶ搬送管路内にスクリュー状の部材を設け、このスクリュー状の部材をモータ等の駆動部により回転させて廃トナーを搬送する構成が知られている。
【０００３】
また、画像形成装置において、慣性力とスクリューとを用いて粉体を搬送する手段として、下記の（１）や（２）のような構成が知られている。
（１）現像装置に現像剤を供給する供給部材の駆動力の伝達が遮断された後に、供給部材自体の慣性力により、現像剤の供給を行う。（特許文献１を参照。）
（２）電力供給の停止後にトナーが過剰供給されることを好適に抑制するため、本来補給に必要なトナー搬送手段の回転量から、予めトナー搬送手段の慣性力による惰性回転量を引いた回転量の分だけＤＣモータに電力を供給することにより、現像器内に必要以上のトナーが補給されてしまうことを防止する。（特許文献２を参照。）
【先行技術文献】
【特許文献】
【０００４】
【特許文献１】特開２００１−８１２８９号公報
【特許文献２】特開２００１−２４２６９３号公報
【発明の概要】
【発明が解決しようとする課題】
【０００５】
従来のようにスクリューを駆動部により回転させて廃トナーを搬送する構成では、例えば停電や誤って電源プラグをコンセントから抜いてしまったことなどにより突然電力の供給が停止すると、下記のような問題が発生し、廃トナーが搬送管路内に詰まるトナーパッキングの原因となる。
・スクリューの回転が停止するため、搬送管路内に搬送途中の廃トナーが残る。
・ファン等の画像形成装置内を冷却する手段が停止するため、定着部等の高温部の余熱により装置内の温度が上昇し、搬送管路内に残った廃トナーが溶けて固着する。
【０００６】
なお、特許文献１に記載の構成は、突然電力の供給が停止した場合ではなく、電力が正常に供給されている通常動作時に、駆動の補助として慣性力を利用するものである。
【０００７】
また、特許文献２に記載の構成は、トナーの搬送量を、モータの動力と慣性力との２つを併用して制御するものであるが、電力の供給停止後には、モータが停止するため実現不可能である。すなわち、特許文献２に記載の構成も、突然電力の供給が停止した場合ではなく、電力が正常に供給されている通常動作時に、駆動の補助として慣性力を利用するものである。
【０００８】
本発明は、上述の点に鑑み、突然電力の供給が停止した場合に、廃トナーを廃トナーボックスにまで搬送することのできる画像形成装置を提供することを目的とする。
【課題を解決するための手段】
【０００９】
上記課題を解決し、本発明の目的を達成するため、本発明は、像担持体から転写材にトナーを転写する際に前記転写材に転写されなかったトナーである廃トナーを収容するための廃トナーボックスと、前記廃トナーを前記廃トナーボックスに搬送するためのスクリューとを備える画像形成装置において、前記スクリューを駆動する駆動部にフライホイールを備えた。
【００１０】
また本発明は、像担持体から転写材にトナーを転写する際に前記転写材に転写されなかったトナーである廃トナーを収容するための廃トナーボックスと、前記廃トナーを前記廃トナーボックスに搬送するためのスクリューとを備える画像形成装置において、前記スクリューを駆動する駆動部にフライホイールを備えるともに、前記廃トナーボックスが前記画像形成装置から取り外されたことに連動して前記フライホイールに接触するブレーキを備えた。
【発明の効果】
【００１１】
上記構成の画像形成装置によれば、電力が正常に供給されている通常動作時に、スクリューを駆動する駆動部のフライホイールに運動量が蓄えられ、突然電力の供給が停止した場合には、このフライホイールの運動量による慣性力を利用してスクリューの回転を維持することにより廃トナーを廃トナーボックスにまで搬送することができる。これにより、突然電力の供給が停止した場合に、補助電源を利用せずに、廃トナーを廃トナーボックスにまで搬送することができる。
【００１２】
また、突然電力の供給が停止した場合でも、廃トナーボックスが画像形成装置から取り外されると、それに連動してブレーキがフライホイールに接触することにより、慣性力によって回転しているフライホイールの回転が停止する。これにより、スクリューの回転が停止して廃トナーの搬送が止まるので、廃トナーボックスが装着されていない状態で廃トナーが搬送され続けることを防止できる。
【図面の簡単な説明】
【００１３】
【図１】本発明の第１の実施の形態に係る画像形成装置の画像形成部，中間転写ベルト，２次転写部，定着部等の構成を示す図である。
【図２】本発明の第１の実施の形態に係る画像形成装置の廃トナー搬送管路及び廃トナーボックスの構成を示す図である。
【図３】本発明の第１の実施の形態に係る画像形成装置の廃トナー搬送管路内の搬送スクリューを示す図である。
【図４】本発明の第１の実施の形態に係る搬送スクリューの駆動部の構成を示す図である。
【図５】本発明の第２の実施の形態に係る搬送スクリューの駆動部の構成を示す図である。
【図６】本発明の第３の実施の形態に係る搬送スクリューの駆動部の構成を示す図である。
【図７】本発明の第４の実施の形態に係る搬送スクリューの駆動部の構成を示す図である。
【図８】本発明の第５の実施の形態に係るフライホイールのメカニカルブレーキの構成を示す図である。
【図９】本発明の第５の実施の形態において廃トナーボックスを画像形成装置から取り外す方向を示す図である。
【発明を実施するための形態】
【００１４】
以下、本発明の実施の形態について図面を参照して説明する。
〔第1の実施の形態〕
図１は、本発明の第１の実施の形態に係る画像形成装置の画像形成部、中間転写体である中間転写ベルト、２次転写部、定着部等の構成を示す。この画像形成装置１は、電子写真方式により用紙に画像を形成するものであり、イエロー（Ｙ）、マゼンダ（Ｍ）、シアン（Ｃ）及びブラック（Ｂｋ）の４色のトナーを重ね合わせるタンデム形式のカラー画像形成装置である。画像形成装置１は、原稿搬送部１０と、用紙収納部２０と、画像読取部３０と、画像形成部４０と、中間転写ベルト５０と、２次転写部７０と、定着部８０を有する。
【００１５】
原稿搬送部１０は、原稿をセットする原稿給紙台１１と、複数のローラ１２とを有している。原稿搬送部１０の原稿給紙台１１にセットされた原稿Ｇは、複数のローラ１２によって、画像読取部３０の読取位置に１枚ずつ搬送する。画像読取部３０は、原稿搬送部１０により搬送された原稿Ｇ又は原稿台１３に載置された原稿の画像を読み取って、画像信号を生成する。
【００１６】
用紙収納部２０は、装置本体の下部に配置されており、用紙Ｓのサイズに応じて複数設けられている。この用紙Ｓは、給紙部２１により給紙されて搬送部２３に送られ、搬送部２３によって転写位置である２次転写部７０に搬送される。また、用紙収納部２０の近傍には、手差部２２が設けられている。この手差部２２からは、用紙収納部２０に収納されていないサイズの用紙やタグを有するタグ紙、ＯＨＰシート等の特殊紙が転写位置へ送られる。
【００１７】
画像読取部３０と用紙収納部２０の間には、画像形成部４０と中間転写ベルト５０が配置されている。画像形成部４０は、イエロー（Ｙ）、マゼンダ（Ｍ）、シアン（Ｃ）、ブラック（Ｂｋ）の各色のトナー像を形成するために、４つの画像形成ユニット４０Ｙ，４０Ｍ，４０Ｃ，４０Ｋを有する。
【００１８】
第１の画像形成ユニット４０Ｙは、イエローのトナー像を形成し、第２の画像形成ユニット４０Ｍは、マゼンダのトナー像を形成する。また、第３の画像形成ユニット４０Ｃは、シアンのトナー像を形成し、第４の画像形成ユニット４０Ｋは、ブラックのトナー像を形成する。これら４つの画像形成ユニット４０Ｙ，４０Ｍ，４０Ｃ，４０Ｋは、それぞれ同一の構成を有しているため、ここでは第１の画像形成ユニット４０Ｙについて説明する。
【００１９】
第１の画像形成ユニット４０Ｙは、ドラム状の感光体４１と、感光体４１の周囲に配置された帯電部４２と、露光部４３と、現像部４４と、クリーニング部４５を有している。感光体４１は、不図示の感光体駆動部のモータなどの駆動伝達手段によって駆動されて反時計回りに回転する。帯電部４２は、感光体４１に電荷を与え感光体４１の表面を一様に帯電する。露光部４３は、原稿Ｇから読み取られた画像データに基づいて、感光体４１の表面に対して露光走査を行い感光体４１上に静電潜像を形成する。
【００２０】
現像部４４は、像担持体である感光体４１に形成された静電潜像にイエローのトナーを付着させる。これにより、感光体４１の表面は、イエローのトナー像が形成される。なお、第２の画像形成ユニット４０Ｍの現像部４４は、感光体４１にマゼンタのトナーを付着させ、第３の画像形成ユニット４０Ｃの現像部４４は、感光体４１にシアンのトナーを付着させる。そして、第４の画像形成ユニット４０Ｋの現像部４４は、感光体４１にブラックのトナーを付着させる。
【００２１】
感光体４１上に付着したトナーは、像担持体の一例を示す中間転写ベルト５０に転写される。クリーニング部４５は、中間転写ベルト５０に転写した後感光体４１の表面に残留しているトナーを、廃トナーとして除去する。
【００２２】
中間転写ベルト５０は、無端状に形成されており、不図示の中間転写ベルト駆動部のモータで駆動されて感光体４１の回転方向とは逆方向の時計回りに回転する。中間転写ベルト５０における各画像形成ユニット４０Ｙ，４０Ｍ，４０Ｃ，４０Ｋの感光体４１と対向する位置には、１次転写部５１が設けられている。この１次転写部５１は、中間転写ベルト５０にトナーと反対の極性を印加させることで、感光体４１上に形成されたトナー像を中間転写ベルト５０に転写させる。
【００２３】
そして、中間転写ベルト５０が回転することで、中間転写ベルト５０の表面には、４つの画像形成ユニット４０Ｙ，４０Ｍ，４０Ｃ，４０Ｋで形成されたトナー像が順次転写される。これにより、中間転写ベルト５０上には、イエロー、マゼンダ、シアン及びブラックのトナー像が重なり合いカラー画像が形成される。
【００２４】
中間転写ベルト５０の近傍で、かつ搬送部２３の下流には、２次転写部７０が配置されている。２次転写部７０は、ローラ状に形成されており、搬送部２３によって送られてきた用紙Ｓを中間転写ベルト５０側に押圧する。そして、２次転写部７０は、搬送部２３によって送られてきた用紙Ｓ上に中間転写ベルト５０に形成されたカラー画像を転写する。クリーニング部５２は、用紙Ｓに転写した後中間転写ベルト５０の表面に残留しているトナーを、廃トナーとして除去する。用紙Ｓに転写する際に２次転写部７０のほうに付着したトナーも、不図示のクリーニング部によって廃トナーとして除去される。また、２次転写部７０における用紙Ｓの排出側には、定着部８０が設けられている。定着部８０は、加熱ローラ８１と、加圧ローラ８２と、その２つのローラに張架されて循環駆動される無端状の耐熱ベルト８３とからなる加熱部材と、耐熱ベルト８３を介して加圧ローラ８２を押圧する外部加圧ローラ８４からなる加圧部材から構成される。定着部８０では、加圧ローラ８２が図示しない定着ローラ駆動部８５のモータによって駆動されて回転して、用紙Ｓに転写されたトナー像を加圧加熱定着させる。
【００２５】
定着部８０の下流には、切換ゲート２４が配置されている。切換ゲート２４は、定着部８０を通過した用紙Ｓの搬送経路を切り替える。すなわち、切換ゲート２４は、片面画像形成におけるフェースアップ排紙を行う場合に、用紙Ｓを直進させる。これにより、用紙Ｓは、一対の排紙ローラ２５によって排紙される。また、切換ゲート２４は、片面画像形成におけるフェースダウン排紙及び両面画像形成を行う場合に、用紙Ｓを下方に案内する。
【００２６】
フェースダウン排紙を行う場合は、切換ゲート２４によって用紙Ｓを下方に案内した後に、用紙反転搬送部２６によって表裏を反転して上方に搬送する。これにより、用紙Ｓは、一対の排紙ローラ２５によって排紙される。
両面画像形成を行う場合は、切換ゲート２４によって用紙Ｓを下方に案内した後に、用紙反転搬送部２６によって表裏を反転し、再給紙路２７により再び転写位置へ送られる。
【００２７】
また、一対の排紙ローラ２５の下流側に、用紙Ｓを折ったり、用紙Ｓに対してステープル処理等を行ったりする後処理装置を配置してもよい。
【００２８】
図２は、画像形成装置１の廃トナー搬送管路及び廃トナーボックスの構成を示す。画像形成装置１は、廃トナー搬送管路９０と、廃トナーボックス１００とを有する。廃トナーボックス１００は、図１に示した用紙収納部２０の後ろ側（図の左側）に装着されており、画像形成装置１から取り外して交換可能になっている。
【００２９】
廃トナー搬送管路９０は、図１に示した画像形成部４０の各画像形成ユニット４０Ｙ，４０Ｍ，４０Ｃ，４０Ｋの感光体４１のクリーニング部４５，中間転写ベルト５０のクリーニング部５２，２次転写部７０の不図示のクリーニング部と、廃トナーボックス１００とを結ぶ管状の部材である。廃トナー搬送管路９０は、感光体４１，中間転写ベルト５０，２次転写部７０からそれぞれ除去された廃トナーを回収するための感光体廃トナー回収口９１〜９４，中間転写ベルト廃トナー回収口９５，２次転写部廃トナー回収口９６を有している。また、廃トナー搬送管路９０の下側の端部は、廃トナーボックス１００に廃トナーを排出する排出口になっている。
【００３０】
図３は、廃トナー搬送管路９０内の搬送部材としての搬送スクリューを示す。廃トナー搬送管路９０のうち水平方向（図２の横方向）に伸びた部分の内部には、搬送スクリュー９７が軸線回りに回転可能に支持されている。搬送スクリュー９７は、軸部材の周囲に螺旋状の翼体を設けたスクリュー状の部材である。この搬送スクリュー９７を、後述のような駆動部によって回転させることにより、廃トナー搬送管路９０内の廃トナーを廃トナーボックス１００に向けて搬送させるようになっている。
【００３１】
図４は、搬送スクリュー９７を駆動する駆動部の構成を廃トナー搬送管路９０及び廃トナーボックス１００とともに示しており、図４Ａは斜視図、図４Ｂは図２と同じ方向から見た図である。廃トナー搬送管路９０の廃トナーボックス１００寄りの部位の近傍に、モータによって搬送スクリュー９７を回転させる搬送スクリュー駆動部１１０が設けられている。搬送スクリュー駆動部１１０の駆動伝達軸１１０ａには、フライホイール１２０ａが取り付けられている。
【００３２】
この第１の実施の形態に係る画像形成装置によれば、電力が正常に供給されている通常動作時に、搬送スクリュー９７を駆動する搬送スクリュー駆動部１１０のフライホイール１２０ａに運動量が蓄えられ、例えば停電や誤って電源プラグをコンセントから抜いてしまったことなどにより突然電力の供給が停止した場合には、このフライホイール１２０ａの慣性力を利用して搬送スクリュー９７の回転を維持することにより廃トナー搬送管路９０内の廃トナーを廃トナーボックス１００にまで搬送することができる。これにより、突然電力の供給が停止した場合に、補助電源を利用せずに、廃トナー搬送管路９０内の廃トナーを廃トナーボックス１００にまで搬送することができる。
【００３３】
〔第２の実施の形態〕
次に、本発明の第２の実施の形態について説明する。なお、第２の実施の形態において、第１の実施の形態と構成が同一の部分については、重複した説明を省略する。第２の実施の形態では、第１の実施の形態の図３に示した搬送スクリュー９７を駆動する駆動部として、第１の実施の形態の図１に示した感光体４１を駆動する感光体駆動部を兼用している。その他の構成は、第１の実施の形態と同一である。
【００３４】
図５は、感光体駆動部の構成を廃トナー搬送管路９０及び廃トナーボックス１００とともに示しており、図５Ａは斜視図、図５Ｂは第１の実施の形態の図２と同じ方向から見た図である。図１に示した４つの画像形成ユニット４０Ｙ，４０Ｍ，４０Ｃ，４０Ｋの感光体４１を各々駆動する４つの感光体駆動部４６のうち、１つの感光体駆動部４６のモータ軸が、ギヤ列を用いたリンク材１３０（図ではその形状を簡略化して示している）によって廃トナー搬送管路９０内の搬送スクリュー９７の軸端と連結されており、搬送スクリュー９７を回転させるようになっている。また、各感光体駆動部４６の駆動伝達軸４６ａには、それぞれ感光体４１の回転を滑らかにするためにフライホイール１２０ｂが取り付けられている。
【００３５】
この第２の実施の形態に係る画像形成装置によれば、電力が正常に供給されている通常動作時に、搬送スクリュー９７を駆動する感光体駆動部４６のフライホイール１２０ｂに運動量が蓄えられ、突然電力の供給が停止した場合には、このフライホイール１２０ｂの慣性力を利用して搬送スクリュー９７の回転を維持することにより廃トナー搬送管路９０内の廃トナーを廃トナーボックス１００にまで搬送することができる。これにより、突然電力の供給が停止した場合に、補助電源を利用せずに、廃トナー搬送管路９０内の廃トナーを廃トナーボックス１００にまで搬送することができる。
【００３６】
〔第３の実施の形態〕
次に、本発明の第３の実施の形態について説明する。なお、第３の実施の形態において、第１の実施の形態と構成が同一の部分については、重複した説明を省略する。第３の実施の形態では、第１の実施の形態の図３に示した搬送スクリュー９７を駆動する駆動部として、第１の実施の形態の図１に示した中間転写ベルト５０を駆動する中間転写ベルト駆動部を兼用している。その他の構成は、第１の実施の形態と同一である。
【００３７】
図６は、中間転写ベルト駆動部の構成を廃トナー搬送管路９０及び廃トナーボックス１００とともに示しており、図６Ａは斜視図、図６Ｂは第１の実施の形態の図２と同じ方向から見た図である。図１に示した中間転写ベルト５０を駆動する中間転写ベルト駆動部５３のモータ軸が、ギヤ列を用いたリンク材１３１（図ではその形状を簡略化して示している）によって廃トナー搬送管路９０内の搬送スクリュー９７の軸端と連結されており、搬送スクリュー９７を回転させるようになっている。また、中間転写ベルト駆動部５３の駆動伝達軸５３ａには、中間転写ベルト５０の回転を滑らかにするためにフライホイール１２０ｃが取り付けられている。
【００３８】
この第３の実施の形態に係る画像形成装置によれば、電力が正常に供給されている通常動作時に、搬送スクリュー９７を駆動する中間転写ベルト駆動部５３のフライホイール１２０ｃに運動量が蓄えられ、突然電力の供給が停止した場合には、このフライホイール１２０ｃの慣性力を利用して搬送スクリュー９７の回転を維持することにより廃トナー搬送管路９０内の廃トナーを廃トナーボックス１００にまで搬送することができる。これにより、突然電力の供給が停止した場合に、補助電源を利用せずに、廃トナー搬送管路９０内の廃トナーを廃トナーボックス１００にまで搬送することができる。
【００３９】
〔第４の実施の形態〕
次に、本発明の第４の実施の形態について説明する。なお、第４の実施の形態において、第１の実施の形態と構成が同一の部分については、重複した説明を省略する。第４の実施の形態では、第１の実施の形態の図３に示した搬送スクリュー９７を駆動する駆動部として、第１の実施の形態の図１に示した定着ローラ駆動部８５を兼用している。その他の構成は、第１の実施の形態と同一である。
【００４０】
図７は、定着ローラ駆動部８５の構成を廃トナー搬送管路９０及び廃トナーボックス１００とともに示しており、図７Ａは定着部８０全体を第１の実施の形態の図２と同じ方向から見た図、図７Ｂは定着部８０全体の斜視図、図７Ｃは定着ローラ駆動部８５の斜視図である。加圧ローラ８２を駆動する定着ローラ駆動部８５のモータ軸が、ギヤ列を用いたリンク材１３２（図ではその形状を簡略化して示している）によって廃トナー搬送管路９０内の搬送スクリュー９７の軸端と連結されており、搬送スクリュー９７を回転させるようになっている。また、定着ローラ駆動部８５の駆動伝達軸８５ａには、定圧ローラ８２の回転を滑らかにするためにフライホイール１２０ｄが取り付けられている。
【００４１】
この第４の実施の形態に係る画像形成装置によれば、電力が正常に供給されている通常動作時に、搬送スクリュー９７を駆動する定着ローラ駆動部８５のフライホイール１２０ｄに運動量が蓄えられ、突然電力の供給が停止した場合には、このフライホイール１２０ｄの慣性力を利用して搬送スクリュー９７の回転を維持することにより廃トナー搬送管路９０内の廃トナーを廃トナーボックス１００にまで搬送することができる。これにより、突然電力の供給が停止した場合に、補助電源を利用せずに、廃トナー搬送管路９０内の廃トナーを廃トナーボックス１００にまで搬送することができる。
【００４２】
〔第５の実施の形態〕
次に、本発明の第５の実施の形態について説明する。なお、第５の実施の形態において、第１〜第４の実施の形態と構成が同一の部分については、重複した説明を省略する。第５の実施の形態では、第１〜第４の実施の形態の図４〜図７に示したフライホイール１２０ａ〜１２０ｄの回転を停止させるためのメカニカルブレーキを設けている。その他の構成は、第１〜第４の実施の形態と同一である。
【００４３】
図８は、フライホイール１２０ａ〜１２０ｄの回転を停止させる停止部としてのメカニカルブレーキの構成を廃トナーボックス１００とともに示しており、図８Ａは廃トナーボックス１００が画像形成装置１に装着されている状態の図、図８Ｂは廃トナーボックス１００が画像形成装置１から取り外された状態の図である。図８では、第１〜第４の実施の形態のフライホイール１２０ａ〜１２０ｄを総称してフライホイール１２０としている。また、図９は、廃トナーボックス１００を画像形成装置１から取り外す方向を示す。
【００４４】
図８Ａに示すように、画像形成装置１内のフライホイール１２０の近傍に、ブレーキアーム１４０が、その上端のブレーキ支点１４１を回転中心としてフライホイール１２０から離れた位置とフライホイール１２０の周縁部に接触する位置との間で変位可能にして設けられている。ブレーキアーム１４０のうちフライホイール１２０の周縁部と対向する部位には、ブレーキパッド１４２が取り付けられている。ブレーキアーム１４０には、引張りばね１４３により、フライホイール１２０に接触する方向（図の右方向）に変位するように力が加えられている。しかし、廃トナーボックス１００が画像形成装置１に装着されているときは、廃トナーボックス１００がブレーキアーム１４０の下端部分をフライホイール１２０から離れる方向（図の左方向）に押すことにより、引張りばね１４３が伸ばされて、ブレーキパッド１４２がフライホイール１２０から離れた状態にある。
【００４５】
廃トナーボックス１００が画像形成装置１から図８Ｂや図９の矢印の方向に取り外されると、図８Ｂに示すように、引張りばね１４３の力によってブレーキアーム１４０が変位して、ブレーキパッド１４２がフライホイール１２０の周縁部に接触する。
【００４６】
なお、フライホイール１２０として総称した第１〜第４の実施の形態のフライホイール１２０ａ〜１２０ｄと廃トナーボックス１００との位置関係は各実施の形態毎に異なっているので、それぞれの位置関係に応じてブレーキアーム１４０の長さや形状を決定したり、必要に応じてブレーキアーム１４０と廃トナーボックス１００との間にリンク材（ギヤ列等）を介在させるようにすればよい。
【００４７】
この第５の実施の形態に係る画像形成装置によれば、突然電力の供給が停止した場合であって、廃トナーボックス１００が画像形成装置１に装着されているときは、第１〜第４の実施の形態におけるのと全く同様にして、搬送スクリュー９７を駆動する駆動部のフライホイール１２０の慣性力を利用して搬送スクリュー９７の回転を維持することにより廃トナー搬送管路９０内の廃トナーを廃トナーボックス１００にまで搬送することができる。これにより、突然電力の供給が停止した場合に、補助電源を利用せずに、廃トナー搬送管路９０内の廃トナーを廃トナーボックス１００にまで搬送することができる。
【００４８】
これに対し、突然電力の供給が停止した場合でも、例えば廃トナーボックス１００の交換等のために廃トナーボックス１００が画像形成装置１から取り外されると、それに連動してブレーキパッド１４２がフライホイール１２０に接触することにより、慣性力によって回転しているフライホイール１２０の回転が停止する。これにより、搬送スクリュー９７の回転が停止して廃トナー搬送管路９０内の廃トナーの搬送が止まるので、廃トナーボックス１００が装着されていない状態で廃トナーが搬送され続けて廃トナー搬送管路９０から排出された廃トナーによって、画像形成装置の内部が汚れることを防止できる。また、廃トナーボックス１００が取り外されたときに廃トナー搬送管路９０の排出口をシャッターで閉じるような機構を採用している場合でも、廃トナーの搬送が止まるので、廃トナー搬送管路９０のシャッター近傍で廃トナーが詰まってしまうことを防止できる。
【００４９】
〔変形例〕
以上、本発明の実施の形態について説明した。しかし、本発明は、上述の実施の形態に限定されるものではなく、特許請求の範囲に記載した発明の要旨を逸脱しない範囲内で種々の変形実施が可能である。
【００５０】
例えば、上述の実施の形態では、画像形成部４０に４つの画像形成ユニット４０Ｙ，４０Ｍ，４０Ｃ，４０Ｋを設けてカラー画像を形成する例を説明したが、画像形成ユニットを１つだけ設けた単色画像を形成する画像形成装置に適用してもよい。
【００５１】
さらに、感光体４１に形成されたトナー像を転写させる転写材として中間転写ベルト５０を設け、この中間転写ベルト５０から用紙Ｓに画像を２次転写させた例を説明したが、感光体から用紙に直接トナー像を転写させる画像形成装置に適用してもよい。
【符号の説明】
【００５２】
１…画像形成装置、  １０…原稿搬送部、  ２０…用紙収納部、  ３０…画像読取部、  ４０…画像形成部、  ４０Ｙ，４０Ｍ，４０Ｃ，４０Ｋ…画像形成ユニット、  ４１…感光体、  ４６…感光体駆動部、  ５０…中間転写ベルト、  ５３…中間転写ベルト駆動部、  ７０…２次転写部、  ８０…定着部、  ８２…加圧ローラ、  ８５…定着ローラ駆動部、  ９０…廃トナー搬送管路、  ９７…搬送スクリュー、  １００…廃トナーボックス、  １１０…搬送スクリュー駆動部、  １２０，１２０ａ，１２０ｂ，１２０ｃ，１２０ｄ…フライホイール、  １３０，１３１，１３２…リンク材、  １４０…ブレーキアーム、  １４１…ブレーキ支点、  １４２…ブレーキパッド、  １４３…引張りばね
【図１】
2013152358.tif 000003
【図２】
2013152358.tif 000004
【図３】
2013152358.tif 000005
【図４】
2013152358.tif 000006
【図５】
2013152358.tif 000007
【図６】
2013152358.tif 000008
【図７】
2013152358.tif 000009
【図８】
2013152358.tif 000010
【図９】
2013152358.tif 000011